(57)【要約】【課題】  複数のシート収納手段を切り替えてシート材を給紙して印刷処理を行う際、指定された枚数分の印刷処理を終了する前に、ユーザが指定している種別に合致するものかを確認と、継続印刷指示とを行う。【解決手段】    複数のシート収納手段を備える印刷システムであって、複数のシート収納手段の中から選択されるシート収納手段をグループ化する設定手段と、受信する印刷ジョブが複数のシート収納手段を使用可能なグループを指定している場合、前記印刷ジョブから生成される画像データを各シート収納手段から１枚ずつ給紙されるシート材に印刷して排紙した後、印刷処理を一時中断する１枚試し印刷手段と、前記一時中断した印刷処理を継続させるための指示を受け付ける受付手段と、前記受付手段が前記印刷処理を継続させる指示を受け付けた場合、一時中断した印刷処理を続行させる制御手段とを備えることを特徴とする。【選択図】  図１０
2013052540.tif 000002
【特許請求の範囲】
【請求項１】
複数のシート収納手段を備える印刷システムであって、
複数のシート収納手段の中から選択されるシート収納手段をグループ化する設定手段と、
受信する印刷ジョブが複数のシート収納手段を使用可能なグループを指定している場合、前記印刷ジョブから生成される画像データを各シート収納手段から１枚ずつ給紙されるシート材に印刷して排紙した後、印刷処理を一時中断する１枚試し印刷手段と、
前記一時中断した印刷処理を継続させるための指示を受け付ける受付手段と、
前記受付手段が前記印刷処理を継続させる指示を受け付けた場合、一時中断した印刷処理を続行させる制御手段と、
を備えることを特徴とする印刷システム。
【請求項２】
前記印刷ジョブで複数部数印刷が指定された場合、１部を試し印刷して印刷処理を中断する１部試し印刷手段と、
前記１部試し印刷手段による印刷処理中断後、残る部数分の印刷処理を継続する指示を受け付ける部数継続受付手段と、
を備え、
前記１部試し印刷手段による印刷処理中に、前記１枚試し印刷手段が受信する印刷ジョブにしたがって同一グループに属する複数のシート収納手段からシート材を１枚それぞれ給紙して印刷を行って排紙した後、印刷処理を一時中断することを特徴とする請求項１記載の印刷システム。
【請求項３】
前記制御手段は、前記１枚試し印刷手段により印刷したシート枚数から前記印刷ジョブで指定される印刷枚数を減算したシート枚数分印刷処理を継続することを特徴とする請求項１または２記載の印刷システム。
【請求項４】
継続印刷中に、いずれか１つのシート収納手段から給紙したシート材が切れた場合、他のシート収納手段からシート材を給紙するために給紙先を自動的に切り替える給紙先切替手段を備えることを特徴とする請求項１記載の印刷システム。
【請求項５】
複数のシート収納手段を用いてシート材を給紙して印刷処理を実行する場合、シート材を給紙したシート収納手段を識別するための情報を印刷ジョブの画像とともに印刷することを特徴とする請求項１記載の印刷システム。
【請求項６】
複数のシート収納手段を備える印刷システムの印刷処理方法であって、
複数のシート収納手段の中から選択されるシート収納手段をグループ化する設定工程と、
受信する印刷ジョブが複数のシート収納手段を使用可能なグループを指定している場合、前記印刷ジョブから生成される画像データを各シート収納手段から１枚ずつ給紙されるシート材に印刷して排紙した後、印刷処理を一時中断する１枚試し印刷工程と、
前記一時中断した印刷処理を継続させるための指示を受け付ける受付工程と、
前記受付工程が前記印刷処理を継続させる指示を受け付けた場合、一時中断した印刷処理を続行させる制御工程と、
を備えることを特徴とする印刷システムの印刷処理方法。
【請求項７】
請求項６に記載の印刷システムの印刷処理方法をコンピュータに実行させることを特徴とするプログラム。
【発明の詳細な説明】
【技術分野】
【０００１】
本発明は、印刷システム、印刷システムの印刷処理方法及びプログラムに関するものである。
【背景技術】
【０００２】
複数の給紙装置（給紙段）を持つ印刷装置において、複数の給紙装置をグループとして扱う技術がある。特定の給紙装置を指定して投入された印刷ジョブであってもグループ内の給紙装置を利用可能にすることが行われている。このようにグループ内の給紙装置を一つの給紙装置として取り扱いシート材切れの頻度を少なくする手法が提案されている。
【０００３】
また、複数の給紙装置をグループとして扱う場合、グループ化されている給紙装置にシート材を補給する場合に間違ったシート材を入れてしまい誤印刷がされてしまう場合がある。
【０００４】
このような誤った印刷を防止する仕組みとして、印刷ジョブ投入された時に印刷装置が各給紙装置からシート材を給紙しその際にセンサを用いてシート材特性（サイズ、色、坪量等）を検知する等の技術（例えば、特許文献１参照）が提案されている。
【先行技術文献】
【特許文献】
【０００５】
【特許文献１】特開２００６−６２７７２号公報
【特許文献２】特開２００９−２５６０７７号公報
【発明の概要】
【発明が解決しようとする課題】
【０００６】
しかしながら、上記従来技術では給紙装置をグループとして扱う場合、グループ化された給紙装置には全て同じ設定、同じシート材が補給されている必要があり、印刷装置のＵＩ装置で防止を図っている。
しかしながら、ユーザが実際にシート材補給時に間違ったシート材を入れてしまった場合、印刷終了までその状態を確認することができず、誤印刷を印刷処理の初期段階で発見して印刷を停止することができないため、シート材を無断に消費してしまう。
【０００７】
さらに、印刷装置が給紙時にシート材特性（サイズ、色、坪量等）を検知するセンサなど特別なハードウエアを含む仕組みが必要となり、さらに給紙装置のシート材確認を行わないといった選択を簡単な構成で、かつ安価に行うことができない。
本発明は、上記の課題を解決するためになされたものである。本発明の目的は、複数のシート収納手段を切り替えてシート材を給紙して印刷処理を行う際、指定された枚数分の印刷処理を終了する前に、ユーザが指定している種別に合致するものかを確認と、継続印刷指示とを行える仕組みを提供することである。
さらに、本発明の目的は、印刷ジョブで指定された枚数に確認用に出力されたシート材をも含めて継続印刷を行うため、無駄な印刷出力がなされてしまうことを簡単な構成、かつ安価に行える仕組みを提供することである。
【課題を解決するための手段】
【０００８】
上記目的を達成する本発明の印刷システムは以下に示す構成を備える。
複数のシート収納手段を備える印刷システムであって、複数のシート収納手段の中から選択されるシート収納手段をグループ化する設定手段と、受信する印刷ジョブが複数のシート収納手段を使用可能なグループを指定している場合、前記印刷ジョブから生成される画像データを各シート収納手段から１枚ずつ給紙されるシート材に印刷して排紙した後、印刷処理を一時中断する１枚試し印刷手段と、前記一時中断した印刷処理を継続させるための指示を受け付ける受付手段と、前記受付手段が前記印刷処理を継続させる指示を受け付けた場合、一時中断した印刷処理を続行させる制御手段と、を備えることを特徴とする。
【発明の効果】
【０００９】
本発明によれば、複数のシート収納手段を切り替えてシート材を給紙して印刷処理を行う際、指定された枚数分の印刷処理を終了する前に、ユーザが指定している種別に合致するものかを確認と、継続印刷指示とを行える。
さらに、印刷ジョブで指定された枚数に確認用に出力されたシート材をも含めて継続印刷を行うため、無駄な印刷出力がなされてしまうことを防止できる。
【図面の簡単な説明】
【００１０】
【図１】本発明の実施形態を示す印刷装置の構成例を示す断面図である。
【図２】図１に示した印刷装置の排紙装置の断面図である。
【図３】印刷装置のメインコントローラを示すブロック図である。
【図４】図３に示した操作部に表示されるＵＩの一例を示す図である。
【図５】印刷装置で管理されるグループ化給紙装置情報テーブルを示す図である。
【図６】印刷装置の制御方法を説明するフローチャートである。
【図７】図３に示した操作部に表示されるＵＩの一例を示す図である。
【図８】図３に示した操作部に表示されるＵＩの一例を示す図である。
【図９】印刷装置の制御方法を説明するフローチャートである。
【図１０】印刷装置の制御方法を説明するフローチャートである。
【図１１】印刷装置の制御方法を説明するフローチャートである。
【図１２】図３に示した操作部に表示されるＵＩの一例を示す図である。
【図１３】印刷装置の制御方法を説明するフローチャートである。
【図１４】印刷装置の制御方法を説明するフローチャートである。
【図１５】図３に示した操作部に表示されるＵＩの一例を示す図である。
【図１６】図３に示した操作部に表示されるＵＩの一例を示す図である。
【図１７】印刷装置の出力結果の一例を示す図である。
【図１８】印刷装置の出力結果の一例を示す図である。
【図１９】印刷装置の制御方法を説明するフローチャートである。
【発明を実施するための形態】
【００１１】
次に本発明を実施するための最良の形態について図面を参照して説明する。
＜システム構成の説明＞
〔第１実施形態〕
図１は、本発明の実施形態を示す印刷装置の構成例を示す断面図である。ここでは、印刷装置（または印刷システム）の一例として、グループ化して管理するための複数の給紙部を備え、シート後処理を行うユニットを接続可能な印刷装置１００を例に説明する。
【００１２】
図１において、１００は印刷装置で、画像形成部１０１、定着部１０２、スキャナ部１０３、操作部１０４、シート材排出部１０７、トナー補給部１１０、及び外部給紙装置１１８を備える。また、画像形成部１０１には、給紙装置１０５、１０６、搬送部１０８、一次転写部１１１、転写ベルト１１２、及び二次転写部１１３が設けられている。
定着部１０２には、スイッチバック部１０９、廃トナー収納部１１４、定着ユニット１１５、１１６、及び搬送部１１７、１２３が設けられている。外部給紙装置１１８には、搬送部１１９、及び給紙装置１２０、１２１、１２２が設けられている。
【００１３】
スキャナ部１０３は、原稿をスキャンして画像の電子データを生成する。操作部１０４は、操作者による印刷装置１００への各種指示を受け付ける。また、操作部１０４には、ハードキーとともに、タッチパネル式などの表示部が設けられている。給紙装置１０５、１０６、１２０、１２１、１２２は印刷装置１００で印刷するためのシート材を積載する。シート材排出部１０７は、印刷されたシート材を印刷装置１００の外部へ排出する。各搬送部には、一定の間隔でシート材を搬送するためのローラが設けられている。スイッチバック部１０９は、シート材排出部１０７へシート材を排出する際にシート材の出力面を反転させる。トナー補給部１１０は、画像形成部１０１に対して現像剤であるトナーを補給する。一次転写部１１１は、画像データに従って形成したトナー像を転写ベルト１１２に転写する。
【００１４】
二次転写部１１３は、転写ベルト１１２に転写されたトナー像をシート材に転写する。廃トナー収納部１１４は、転写処理の過程において発生した余分なトナーを収納する。定着ユニット１１５は、二次転写部１１３において画像が転写されたシート材に熱と圧力を加えて、トナーをシート材に定着させる。定着ユニット１１６は、定着ユニット１１５において画像が定着されたシート材にさらに熱と圧力を加えて画像の定着を強化させる。
【００１５】
搬送部１０８、１１７、１１９、１２３は、シート材を搬送するための搬送路である。搬送部１１７は、定着ユニット１１５から定着ユニット１１６へシート材を搬送するための搬送路である。搬送部１２３は、定着ユニット１１５から定着ユニット１１６を介さずにシート材排出部１０７又はスイッチバック部１０９へシート材を搬送するための搬送路である。搬送部１０８、１１９は、シート材を印刷装置１００へ供給するための搬送路である。
＜排紙装置２００の構成＞
【００１６】
図２は、図１に示した印刷装置１００の排紙装置２００の断面図である。
図２において、シート材入力部２０６はシート材排出部１０７をとおしてシート材を受け入れる部分である。搬送路２０５はシート材を排紙装置内の各機構に搬送する為の搬送路および機構である。排出トレイ２０１，２０２，２０３，２０４は排出されるシート材を積載するものであり、それぞれつながっている搬送路２０５の経路により対応するフィニッシング機能（ステイブル、ソート、中とじ、折り、パンチ等）が異なる。なお、特に排出トレイ２０１は全てのフィニッシング機能に非対応の積載部である。
２０７は排紙オプション機構部でありステイブル、ソートを行う機構を有する。２０８は折り機構部であり、シート材を折る機構を有する。
【００１７】
＜印刷装置１００の制御構成＞  
図３は、図１に示した印刷装置１００のメインコントローラ３０１を示すブロック図である。
【００１８】
図３において、メインコントローラ３０１は、ＣＰＵ３０５、ＲＡＭ３０６、操作部Ｉ／Ｆ３０７、ネットワークＩ／Ｆ制御部３０８、モデム３０９、ＲＯＭ３１０、ＨＤＤ３１１を備える。また、イメージバスＩ／Ｆ３１３を介し、ＲＩＰＩ／Ｆ３１４、データ圧縮部３１５、デバイスＩ／Ｆ３１６、及び画像処理部３１７を備える。また、３１２はＣＰＵバスであり、３２４はイメージバスである。
【００１９】
ネットワークＩ／Ｆ３０８には、外部機器とネットワークによって接続を行うためのネットワークケーブル３０３が接続される。モデム３０９には、外部機器と電話回線によって接続を行うための回線ケーブル３０４が接続される。
ＣＰＵ３０５は、メインコントローラ３０１全体を制御するためのプログラムを動作させる。ＲＡＭ３０６は、ＣＰＵ３０５上で動作するプログラムによって管理される。ＲＡＭ３０６は、外部から受信したデータを一時的に蓄えるための受信バッファやＲＩＰ３２１によってラスタライズされた画像データを一時的に蓄えるための画像データバッファ等の目的で使用される。ＲＯＭ３１０は、ＣＰＵ３０５上で動作するプログラムやデータ等を格納する。ＨＤＤ３１１は、さまざまなデータを長期的に保存することが可能な不揮発性の記憶装置である。
【００２０】
操作部Ｉ／Ｆ３０７は、操作部１０４とメインコントローラ３０１とを接続するためのインタフェースである。イメージバスＩ／Ｆ３１３は、ＣＰＵバス３１２とイメージバス３２４とを接続するためのインタフェースである。ＲＩＰＩ／Ｆ３１４には、データバス３１８を介してＲＩＰ３２１が接続される。ＲＩＰ３２１は、外部から入力される画像記述データをビットマップイメージデータに変換する機能を有するラスタライズボード（ＲＩＰ）である。ＲＩＰＩ／Ｆ３１４は、データバス３１８によってＲＩＰ３２１とイメージバス３２４を接続するためのインタフェースである。データ圧縮部３１５は、データを圧縮する。
【００２１】
また、デバイスＩ／Ｆ３１６には、データバス３１９を介して給紙排紙装置３２２が接続され、データバス３２０を介してプリンタ３２３が接続される。プリンタ３２３の構成は、図１を用いて上述した構成である。
ＣＰＵ３０５は、操作部１０４又は外部機器からネットワークケーブル３０３を介して指示される信号に従って、データバス３１９、３２０を介してプリンタ３２３及び給紙排紙装置３２２へ印刷を行うための命令を発行する。画像処理部３１７は、ＲＩＰ３２１によって生成されたビットマップイメージデータに各種画像処理を施す。画像処理部３１７では、２ページのビットマップイメージデータを１ページのビットマップイメージデータに合成する機能等のビットマップイメージデータをデジタル的に処理する機能を備える。
【００２２】
ジョブ制御部３２５は外部から受信したデータをジョブとして解析して部数（コピー数：Ｎ）、給紙指定、排紙処理情報（ステイブル、排紙先）等の制御情報を得ると共にデータをジョブとして制御する。
【００２３】
ジョブ制御情報保存部３２６は上記取得した制御情報を格納する領域である。給紙制御部３２７は、ＣＰＵ３０５、ジョブ制御部３２５と共に給紙に関する制御を管理する。排紙制御部３２８は、ＣＰＵ３０５、ジョブ制御部３２５と共に排紙に関する制御を管理する。給排紙制御情報保存部３２９は、給紙制御部３２７、排紙制御部３２８の管理に必要な制御情報を保持する領域である。
【００２４】
＜給紙装置のグループ化＞
【００２５】
本実施形態において、給紙装置のグループ化とは、仮想的に複数の給紙装置をひとまとまりとして扱うことである。通常、給紙装置が指定された印刷ジョブの場合、指定された給紙装置のシート材がなくなると、印刷装置１００は印刷を止め、操作部１０４に指定された給紙装置にシート材を補給する旨を表示する。
一方、給紙装置のグループ化を行うと、指定された給紙装置のシート材がなくなった場合、同じグループに属する給紙装置に印刷可能なシート材があった場合に印刷を継続する。
【００２６】
図４は、図３に示した操作部１０４に表示されるユーザインタフェースの一例を示す図である。本例は、給紙装置のグループ化の設定画面に対応する。以下、複数のシート収納手段（給紙装置）の中から選択されるシート収納手段をグループ化する設定処理を説明する。
図４において、４０１、４０２、４０３、４０４、４０５はそれぞれ給紙装置１０５、１０６、１２０、１２１、１２２の情報を示している。４０８は給紙装置を識別するＮｏを示している。グループ化設定ボタン４０６は、各給紙装置が属しているグループを示している。図４の例では、給紙装置４０１と給紙装置４０２がグループ１、給紙装置４０３と給紙装置４０４がグループ２、給紙装置４０５がグループ３に属している例である。グループ化設定ボタン４０６が押されると、グループ番号が１つずつインクリメントされる。グループ番号は給紙装置数と同じ数まで変更可能であり、給紙装置数と同じ場合にグループ化設定ボタン４０６が押下されると、「１」に戻る。本画面において、ＯＫボタン４０７が押下されると、ＣＰＵ３０５は、現在のグループ化設定を排紙制御部３２８の図５のグループ化給紙装置情報テーブルに記憶する。ここで、グループ化給紙装置情報テーブルは、ＨＤＤ３１１に保持される場合を示すが、他の不揮発性メモリ、例えばＮＶＲＡＭ等で保持される構成であってもよい。
【００２７】
図５は、図３に示したＨＤＤ３１１で管理されるグループ化給紙装置情報テーブルの一例を示す図である。本例に示すグループ化給紙装置情報テーブルにはグループ番号毎にグループ化されている給紙装置情報、グループ化されている給紙装置数（Ａ）が記憶される状態を示す。
【００２８】
図６は、本実施形態を示す印刷装置の制御方法を説明するフローチャートである。本例は、グループ化された給紙装置を用いて印刷する場合の処理例である。なお、各ステップは、ＣＰＵ３０５がＲＯＭ３１０、ＨＤＤ３１１から制御プログラムをＲＡＭ３０６にロードして実行することで実現される。
Ｓ５０１では、ＣＰＵ３０５はネットワークを介して印刷ジョブを情報処理装置から受信すると、当該印刷ジョブに給紙装置指定がなされているか否かを判断する。ここで、給紙装置指定がされていないとＣＰＵ３０５が判断した場合は、ＣＰＵ３０５は通常の印刷処理５０２を行う。なお、当該通常の処理についての説明は省略する。
一方、Ｓ５０１で給紙装置指定がなされているとＣＰＵ３０５が判断した場合は、Ｓ５０３に進む。
【００２９】
そして、Ｓ５０３では、ＣＰＵ３０５は、図示しないセンサ等からの出力から指定された給紙装置がシート材切れ状態であるか否かを判断する。ここで、シート材切れ状態であるとＣＰＵ３０５が判断した場合は、Ｓ５０４に進み、シート材あり状態であるとＣＰＵ３０５が判断した場合はＳ５０５に進む。
そして、Ｓ５０５では、印刷装置１００は給紙装置から１枚印刷を行う。次に、Ｓ５０６では、ＣＰＵ３０５は印刷ジョブが完了したかを判断する。ここで、印刷ジョブが完了したとＣＰＵ３０５が判断した場合には、本処理を終了する。
一方、Ｓ５０６で印刷ジョブが完了していないとＣＰＵ３０５が判断した場合は、Ｓ５０３に戻る。
【００３０】
一方、Ｓ５０４では、ＣＰＵ３０５は印刷に使用する給紙装置をシート材切れが起きた給紙装置と同一グループに属する他の給紙装置に変更する。次に、Ｓ５０７では、ＣＰＵ３０５は同一グループに属する全ての給紙装置がシート材切れかを判断する。ここで、まだ使用するシート材があるとＣＰＵ３０５が判断した場合は、Ｓ５０３に戻る。
一方、Ｓ５０７で、全ての給紙装置がシート材切れ状態であるとＣＰＵ３０５が判断した場合は、Ｓ５０８に進む。そして、Ｓ５０８では、ＣＰＵ３０５は操作部Ｉ／Ｆ３０７を介し、操作部１０４にシート材補給表示画面を出すように指示する。これにより、操作部１０４にはシート材補給表示画面が表示される。
【００３１】
次に、Ｓ５０９で、ＣＰＵ３０５は、表示されたシート材切れ状態の給紙装置に対してユーザによりシート材補給がなされたか否かを判断する。ここで、ＣＰＵ３０５がシート材補給されたと判断した場合は、Ｓ５１０に進み、Ｓ５０９でシート材補給されないとＣＰＵ３０５が判断した判断された場合は、ユーザによりシート材補給がなされるまで待つ。
次に、Ｓ５１０で、ＣＰＵ３０５は使用する給紙装置をＳ５０９でシート材補給された給紙段に変更し、Ｓ５０５へ進む。以上のようにして、給紙装置のグループ化及びグループ化された給紙装置からの印刷を行う。
【００３２】
＜お試し印刷＞
【００３３】
本実施形態において、お試し印刷とは、印刷ジョブに対して複数部の印刷が設定されていた場合に、全部数を１度に印刷するのではなく、１部だけを先行して試し印刷を行うことをいう。そして、ユーザがその試し印刷の結果を確認し、満足のいく印刷結果であれば、ユーザからの継続印刷指示を受付て、残りの部についても印刷を継続する。
【００３４】
図７、図８は、図３に示した操作部１０４に表示されるユーザインタフェースの一例を示す図である。本例は、お試し印刷指示画面例であり、図７はお試し印刷を開始するかどうかをユーザに問い合わせる画面に対応し、図８は、お試し印刷終了後、当該印刷ジョブに設定された残りの部数について印刷を継続するかどうかを問い合わせる画面に対応する。
【００３５】
図９は、本実施形態を示す印刷装置の制御方法を説明するフローチャートである。本例は、グループ化された給紙装置を用いて印刷する場合の処理例である。本処理は、お試し印刷処理例である。なお、各ステップは、ＣＰＵ３０５がＲＯＭ３１０、ＨＤＤ３１１から制御プログラムをＲＡＭ３０６にロードして実行することで実現される。
Ｓ９０１で、ネットワークを介して印刷ジョブを受信すると、ＣＰＵ３０５がジョブ制御部３２５を制御して受信した印刷ジョブを解析して部数（コピー数：Ｎ）、給紙指定、排紙処理情報（ステイブル、排紙先）等の制御情報を取得する。そして、Ｓ９０２で、ＣＰＵ３０５が取得したこれらの情報をジョブ制御情報保存部３２６に保存する。
【００３６】
次に、Ｓ９０３で、ＲＩＰ３２１によって印刷するページ毎のラスタライズされた画像データを生成しＲＡＭ３０６に保存する。そして、Ｓ９０４で、ＣＰＵ３０５が最終ページまでラスタライズ画像データを作成したか否かをジョブ制御部３２５からの通知に従い判断する。ここで、最終ページまで完了しているとＣＰＵ３０５が判断した場合、Ｓ９０５で、印刷ジョブ1部当たりの印刷ページ数（Ｐ）を確定しその情報をジョブ制御情報保存部３２６に保存する。
【００３７】
次に、Ｓ９０６で、ＣＰＵ３０５は操作部Ｉ／Ｆ３０７を介し、操作部１０４にお試しプリントを開始するかをユーザに問い合わせる画面（図７に示す）の表示を指示する。そして、Ｓ９０７で、ユーザが図７に示す画面を介して、お試しプリントの開始が指示されたかどうかを判断する。
【００３８】
ここで、お試しプリント開始が指示されていないとＣＰＵ３０５が判断した場合、Ｓ９０８で、ＣＰＵ３０５は通常の印刷処理でＲＡＭ３０６に保存されているラスタライズ画像データとジョブ制御情報保存部３２６の情報に基づき全部数印刷する。そして、本処理を終了する。
一方、Ｓ９０７でお試しプリント実施が指示されたとＣＰＵ３０５が判断した場合は、Ｓ９０９で、ＣＰＵ３０５はＲＡＭ３０６に保存されているラスタライズ画像データに基づき１部だけを印刷する。
【００３９】
そして、Ｓ９１０でＣＰＵ３０５は操作部Ｉ／Ｆ３０７を介し、設定された部数Ｎ―１部について、印刷を継続するか否かをユーザに対して問い合わせる画面（図８）の表示を操作部１０４に指示する。そして、Ｓ９１１で、ユーザからプリント継続が指示されているとＣＰＵ３０５が判断した場合、Ｓ９１２において、ＣＰＵ３０５は通常の印刷処理でＲＡＭ３０６に保存されているラスタライズ画像データを部数分通常印刷して、本処理を終了する。ここで、部数とは、ジョブ制御情報保存部３２６に保存されているコピー部数Ｎ−１である。本実施形態では、Ｓ９０９で１部試し印刷による印刷処理中断後、残る部数分の印刷処理を継続する指示をＳ９１１で受け付ける部数継続受付処理が実行される。
一方、Ｓ９１１でプリント継続が指示されないとＣＰＵ３０５が判断した場合、Ｓ９１３で印刷のキャンセル等の予め決められている処理を実行して、本処理を終了する。
これにより、印刷ジョブで複数部数印刷が指定された場合、１部試し印刷手段による印刷処理中に、印刷ジョブに従って同一グループに属する複数のシート収納手段からシート材を１部印刷を行って排紙した後、印刷処理を中断する。その後、ユーザは、１部試し印刷結果を確認する。
【００４０】
＜第１のお試しプリント＞
以下、図６、図７、図８、図１０を用いて、第１のお試しプリント処理について説明する。
図１０は、本実施形態を示す印刷装置の制御方法を説明するフローチャートである。本例は、第１のお試しプリント処理例である。本処理は、お試し印刷処理例である。なお、各ステップは、ＣＰＵ３０５がＲＯＭ３１０、ＨＤＤ３１１から制御プログラムをＲＡＭ３０６にロードして実行することで実現される。以下、受信する印刷ジョブが複数のシート収納手段を使用可能なグループを指定している場合、印刷ジョブから生成される画像データをグループ給紙装置から１枚ずつ給紙してシート材に印刷して排紙した後、印刷処理を一時中断する１枚試し印刷処理を説明する。
【００４１】
まず、Ｓ１００１で、ネットワークを介して情報処理装置から印刷ジョブを受信するとＣＰＵ３０５は、ジョブ制御部３２５を制御して受信した印刷ジョブを解析して部数、給紙指定、排紙処理情報（ステイブル、排紙先）等の制御情報を取得する。なお、部数とは、コピー数Ｎに対応する。
そして、Ｓ１００２で、ＣＰＵ３０５は印刷ジョブから取得した情報をジョブ制御情報保存部３２６に保存する。
次に、Ｓ１００３で、ＣＰＵ３０５は印刷ジョブに給紙装置に対する指定がなされているか否かを判断する。ここで、印刷ジョブに対して給紙装置指定がされていないとＣＰＵ３０５が判断した場合は、Ｓ１００４に進み、ＣＰＵ３０５は通常の印刷を行い、本処理を終了する。なお、通常の印刷処理については説明は省略する。
【００４２】
一方、Ｓ１００３で、印刷ジョブに対して給紙装置指定がなされているとＣＰＵ３０５が判断した場合は、Ｓ１００５に進む。そして、Ｓ１００５では、ＣＰＵ３０５は操作部Ｉ／Ｆ３０７を介し、操作部１０４にお試しプリントを実施するかどうかをユーザに問い合わせる画面（図７）の表示を指示する。そして、Ｓ１００６で、ＣＰＵ３０５は、お試しプリントを実施するかどうかをユーザに問い合わせる画面に対してユーザが実施の指示を選択しているかどうかを判断する。
【００４３】
次に、Ｓ１００６で、ユーザがプリント実施を選択していないとＣＰＵ３０５が判断した場合は、Ｓ１００７に進み、ＣＰＵ３０５はグループ化された給紙装置からの通常印刷処理を行って、本処理を終了する。なお、通常印刷処理についての説明は省略する。
【００４４】
Ｓ１００６で、お試しプリントの実施がユーザにより選択されたとＣＰＵ３０５が判断した場合は、Ｓ１００８に進む。そして、ＣＰＵ３０５はグループ化給紙装置情報テーブル（図６）の制御情報に基づいて同一グループに属する他の給紙装置全てから1枚給紙を行ったか否かを判断する。ここで、まだ給紙していない同一グループに属する他の給紙装置があるとＣＰＵ３０５が判断した場合は、Ｓ１００９に進み、ＣＰＵ３０５は現在指定されている給紙装置から1枚給紙して印刷を行う。
【００４５】
次に、Ｓ１０１０で、ＣＰＵ３０５は給紙制御部３２７、グループ化給紙装置情報テーブル（図６）の制御情報に基づいて、Ｓ１００９で使用した給紙装置以外の同一グループに属する他の給紙装置に給紙先を切替え、Ｓ１００８に戻る。これにより、継続印刷中に、いずれか１つの給紙装置から給紙したシート材が切れた場合、他の給紙装置からシート材を給紙するために給紙先を自動的に切替える給紙先切替処理が実行される。
【００４６】
そして、戻ったＳ１００８において、ＣＰＵ３０５がまだ給紙していない同一グループに属する他の給紙装置がないと判断した場合は、Ｓ１０１１に進む。
そして、Ｓ１０１１で、ＣＰＵ３０５は印刷を一時停止すると共に操作部Ｉ／Ｆ３０７を介し、操作部１０４に残りのページの通常印刷を実施するか選択するための画面（図８）の表示を指示する。そして、Ｓ１０１２で、ＣＰＵ３０５は残りのページの継続印刷（通常印刷）の実施がユーザにより選択されているかどうかを判断する。
【００４７】
ここで、残りページの継続印刷（通常印刷）の実施をユーザが選択しているとＣＰＵ３０５が判断した場合は、Ｓ１０１３に進み、ＣＰＵ３０５は通常のグループ化された給紙装置からの印刷処理を行い、本処理を終了する。これにより、１枚試し印刷により印刷したシート枚数から印刷ジョブで指定される印刷枚数を減算したシート枚数分印刷処理を継続することができ、印刷結果を無駄にすることがない。
一方、Ｓ１０１２で、継続印刷をユーザが選択していないとＣＰＵ３０５が判断した場合は、Ｓ１００５に戻る。このように、ＣＰＵ３０５が一時中断した印刷処理を継続させるための指示をユーザから受付けると、一時中断した印刷ジョブに関わる印刷処理を続行させる。
なお、本実施ではお試しプリントの再実行が指示された場合は、Ｓ１０１０に戻るが、印刷のキャンセル等の予め決められている処理が行われ印刷ジョブが終了する処理を行ってもよい。
【００４８】
以上のように、グループ化された給紙装置が指定された印刷ジョブが投入された場合、グループ化された同一の給紙装置全てから一枚ずつ順々に給紙してのお試しプリントをう。そして、ユーザがその結果を見る事で給紙装置に入っているシート材が所望であるかを確認する事が可能になる。その為、グループ化されている給紙装置に間違ったシート材が入っていた場合の誤印刷を防止する事が出来る。また、シート材を確認する為のお試しプリント実施もユーザが選択可能となる。
【００４９】
＜第２のお試しプリント＞
以下、図５、図７、図８、図１１、図１２、図１３を用いて、第２のお試しプリント処理について説明する。
図１１は、本実施形態を示す印刷装置の制御方法を説明するフローチャートである。本例は、第２のお試しプリント処理例である。本処理は、お試し印刷処理例である。なお、各ステップは、ＣＰＵ３０５がＲＯＭ３１０、ＨＤＤ３１１から制御プログラムをＲＡＭ３０６にロードして実行することで実現される。
図１２は、図３に示した操作部１０４に表示されるユーザインタフェースの一例を示す図である。本例は、１部お試しプリントの実行をユーザに問い合わせる画面例である。
【００５０】
まず、Ｓ１２０１で、ネットワークを介して情報処理装置から印刷ジョブを受信するとＣＰＵ３０５はジョブ制御部３２５を制御して受信したジョブを解析し部数（コピー数：Ｎ）、給紙指定、排紙処理情報（ステイブル、排紙先）等の制御情報を取得する。そして、Ｓ１２０２で、ＣＰＵ３０５は取得した制御情報をジョブ制御情報保存部３２６に保存する。
そして、Ｓ１２０３では、ＣＰＵ３０５は受信した印刷ジョブに給紙装置指定がされている否かを判断する。ここで、印刷ジョブに対して給紙装置指定がされていないとＣＰＵ３０５が判断した場合、Ｓ１２０４に進み、ＣＰＵ３０５は通常印刷処理を実行して、本処理を終了する。なお、通常印刷処理については説明は省略する。
【００５１】
一方、Ｓ１２０３で、ＣＰＵ３０５が印刷ジョブに対して給紙装置が指定されていると判断した場合は、Ｓ１２０５に進み、ＣＰＵ３０５は操作部Ｉ／Ｆ３０７を介し、操作部１０４にお試しプリントを実施するか選択するＵＩ画面（図７）の表示を指示する。そして、Ｓ１２０６で、ＣＰＵ３０５は、操作部１０４に表示したＵＩ画面を介してユーザからお試しプリント実施が選択されているかどうかを判断する。ここで、お試しプリント実施が選択されていないとＣＰＵ３０５が判断した場合、Ｓ１２０７に進み、ＣＰＵ３０５はグループ化された給紙装置からの通常印刷処理を行い、本処理を終了する。
【００５２】
一方、１２０６で、操作部１０４に表示されたＵＩ画面をお試しプリントが選択されているとＣＰＵ３０５が判断した場合は、Ｓ１２０８に進む。そして、ＣＰＵ３０５は給排紙制御情報保存部３２９に保持されているグループ化給紙装置情報テーブル（図６）から属するグループのグループ化されているグループ給紙装置数Ａと受信した印刷ジョブの1部当たりの印刷ページ数（Ｐ）と比較する。具体的には、ＣＰＵ３０５が印刷ジョブの1部当たりの印刷ページ数Ｐ＜給紙装置数Ａなる関係が成立するかどうかを判断する。
【００５３】
ここで、グループ給紙装置数Ａより印刷ページ数Ｐの方が小さいとＣＰＵ３０５が判断した場合、Ｓ１２１４に進む。そして、Ｓ１２１４で、ＣＰＵ３０５は現在指定されている給紙装置から1枚給紙して印刷を行う。
【００５４】
そして、Ｓ１２１５に進み、ＣＰＵ３０５はグループ化給紙装置情報テーブル（図６）の制御情報に基づいて同一グループに属する他の給紙装置全てから1枚給紙を行ったかを判断する。ここで、まだ給紙していない同一グループに属する他の給紙装置があるとＣＰＵ３０５が判断した場合はＳ１２１６進む。そして、Ｓ１２１６で、ＣＰＵ３０５はグループ化給紙装置情報テーブル（図６）の制御情報に基づいて同一グループに属するまだ給紙していない他の給紙装置に給紙先を切り替え、Ｓ１２１４に戻る。
【００５５】
一方、Ｓ１２１５で、まだ給紙していない同一グループに属する他の給紙装置がないとＣＰＵ３０５が判断した場合は、Ｓ１２１７に進み、ＣＰＵ３０５は現在印刷中の部の最後のページまで通常印刷を行う。なお、この際、給紙装置の切り替えは行わない。
そして、Ｓ１２１８で、ＣＰＵ３０５は印刷継続または中止処理を行い、本処理を終了する。
【００５６】
一方、Ｓ１２０８でグループ給紙装置数Ａより印刷ページ数Ｐの方が大きいとＣＰＵ３０５が判断した場合はＳ１２０９に進む。そして、Ｓ１２０９では、ＣＰＵ３０５は操作部Ｉ／Ｆ３０７を介し、操作部１０４にグループ給紙装置数Ａ枚のみのお試しプリントをするか１部お試しプリントを実施するか選択する画面（図１２）の表示を指示する。
そして、Ｓ１２１０で、ＣＰＵ３０５は1部お試しプリント実施を示すボタンがユーザにより選択されたか否かを判断する。ここで、１部お試しプリント実施を指示するボタンが選択されているとＣＰＵ３０５が判断した場合は、Ｓ１２１４へ進む。
一方、Ｓ１２１０でＣＰＵ３０５が１部お試しプリント実施を指示するボタンＢ１が選択されず、ボタンＢ２が選択されたと判断した場合は、Ｓ１２１１に進む。そして、Ｓ１２１２で、ＣＰＵ３０５は現在指定されている給紙装置から1枚給紙して印刷を行う。そして、Ｓ１２１２で、ＣＰＵ３０５はグループ化給紙装置情報テーブル（図６）の制御情報に基づいて給紙制御部３２７を制御して、同一グループに属する他の給紙装置全てから1枚給紙を行ったかを判断する。
【００５７】
ここで、給紙していない同一グループに属する他の給紙装置があるとＣＰＵ３０５が判断した場合は、Ｓ１２１３に進む。そして、Ｓ１２１３で、ＣＰＵ３０５はグループ化給紙装置情報テーブル（図６）の制御情報に基づいて給紙制御部３２７を制御して、同一グループに属するまだ給紙していない他の給紙装置に給紙先を切り替え、Ｓ１２１１に戻る。
一方、Ｓ１２１２でまだ給紙していない同一グループに属する他の給紙装置がないとＣＰＵ３０５が判断した（全て給紙したとＣＰＵ３０５が判断した）場合は、Ｓ１２１８に進み、ＣＰＵ３０５が印刷継続または中止処理を行う。
【００５８】
図１３は、本実施形態を示す印刷装置の制御方法を説明するフローチャートである。本例は、第２のお試しプリント処理のＳ１２１８における印刷継続または中止処理に関わる詳細手順例である。本処理は、お試し印刷処理例である。なお、各ステップは、ＣＰＵ３０５がＲＯＭ３１０、ＨＤＤ３１１から制御プログラムをＲＡＭ３０６にロードして実行することで実現される。
Ｓ１３０１で、ＣＰＵ３０５は操作部Ｉ／Ｆ３０７を介し、操作部１０４に残りのページの通常印刷を実施するか選択する画面（図８）を表示する。そして、Ｓ１３０２で、ＣＰＵ３０５は残りのページの継続印刷（通常印刷）の実施が指示されたかを判断する。
【００５９】
ここで、残りページの継続印刷（通常印刷）の実施が指示されたとＣＰＵ３０５が判断した場合、Ｓ１３０２に進む。そして、Ｓ１３０２で、ＣＰＵ３０５はジョブ制御部３２５、ジョブ制御情報保存部３２６と共にＲＡＭ３０６に保存されているラスタライズ画像データを部数分を印刷して、本処理を終了する。なお、部数分とは、ジョブ制御情報保存部３２６に保存されているコピー部数Ｎ−Ｓ１２１７で印刷した部数に対応する。
この時、ＣＰＵ３０５が行う印刷処理は通常のグループ化された給紙装置からの印刷処理である。
一方、Ｓ１３０２で、継続印刷の指示がなされていないとＣＰＵ３０５が判断した場合、Ｓ１３０３で、ＣＰＵ３０５は印刷を中止する処理を実行して、本処理を終了する。
以上のように、本実施形態によれば、印刷ジョブの１部当たりのページ数とグループ化されている給紙装置数との関係によりお試しプリントで印刷する部数を可変とする。この事により１部当たりのページ数に関わらず必ず全てのグループ化されている給紙装置から給紙印刷する事が可能となり確認漏れを防ぐ事が出来る。
【００６０】
〔第３実施形態〕
以下、図６、図７、図８、図１２、図１３、図１４、図１５、図１６、図１７、図１８を用いて、第３実施形態について説明する。
図１４は、本実施形態を示す印刷装置の制御方法を説明するフローチャートである。本例は、印刷処理に関わる詳細手順例である。本処理は、お試し印刷処理例である。なお、各ステップは、ＣＰＵ３０５がＲＯＭ３１０、ＨＤＤ３１１から制御プログラムをＲＡＭ３０６にロードして実行することで実現される。
図１５は、図３に示した操作部１０４に表示されるユーザインタフェースの一例を示す図である。本例は、成果物理容をお試しプリントをユーザに問い合わせる画面例である。
【００６１】
まず、Ｓ１４０１で、ネットワークを介して情報処理装置から印刷ジョブを受信するとＣＰＵ３０５はジョブ制御部３２５を制御して受信したジョブを解析し部数（コピー数：Ｎ）、給紙指定、排紙処理情報（ステイブル、排紙先）等の制御情報を取得する。そして、Ｓ１４０２で、ＣＰＵ３０５は取得した情報をジョブ制御情報保存部３２６に保存する。
次に、Ｓ１４０３で、ＣＰＵ３０５は受信した印刷ジョブに給紙装置指定がされているか否かを判断する。ここで、受信した印刷ジョブに給紙装置指定がされていないとＣＰＵ３０５が判断した場合、Ｓ１４０４に進みＣＰＵ３０５は通常の印刷処理を行う。なお、通常の印刷処理についての説明は省略する。
【００６２】
一方、Ｓ１４０３で給紙装置指定ありとＣＰＵ３０５が判断した場合は、Ｓ１４０５に進み、ＣＰＵ３０５は操作部Ｉ／Ｆ３０７を介し、操作部１０４にお試しプリントを実施するか選択する画面（図７）を表示する。そして、Ｓ１４０６で、ＣＰＵ３０５はお試しプリント実施を指示するボタンＢ１が選択されたかどうかを判断する。
【００６３】
ここで、お試しプリント実施を指示するボタンＢ１が選択されていないとＣＰＵ３０５が判断した場合、Ｓ１４０７に進み、ＣＰＵ３０５はグループ化された給紙装置からの通常印刷処理を行い、本処理を終了する。
【００６４】
一方、Ｓ１４０６で、お試しプリントを指示するボタンＢ１が選択されたとＣＰＵ３０５が判断した場合は、Ｓ１４０８に進む。そして、Ｓ１４０８で、ＣＰＵ３０５は操作部Ｉ／Ｆ３０７を介し、操作部１０４にお試しプリントを成果物として利用するかを選択する画面（図１５）を表示する。
次に、Ｓ１４０９に進み、ＣＰＵ３０５は成果物として利用するお試しプリントを指示するためのボタンＢ１がユーザにより選択されているかどうかを判断する。ここで、成果物として利用するプリント指示がなされていないとＣＰＵ３０５が判断した場合、Ｓ１４１５に進む。そして、Ｓ１４１５で、ＣＰＵ３０５は給紙制御部３２７を制御して、グループ化給紙装置情報テーブル（図５）の制御情報に基づいて同一グループに属する他の給紙装置全てから１枚給紙を行ったかを判断する。
ここで、まだ給紙していない同一グループに属する他の給紙装置があるとＣＰＵ３０５が判断した場合は、Ｓ１４１６進み、ＣＰＵ３０５は現在指定されている給紙装置から1枚給紙を行う。次に、Ｓ１４１７で、ＣＰＵ３０５は給紙制御部を制御して給紙装置情報テーブル（図１６）からＳ１４１６で実際に給紙した給紙装置情報を取得し給紙したシート材の一部にＲＡＭ３０６に保存されている印字するラスタライズ画像データと共に印刷する。ここで、給紙装置情報には給紙装置Ｎｏ等が含まれる。
図１７は、本実施形態を示す印刷装置の出力結果の一例を示す図である。本例は、図３に示したプリンタ３２３からシート材の右上隅に給紙装置情報を印刷データとともに出力した例である。特に、図１７には、給紙装置Ｎｏ１から給紙された場合の出力結果例を示す。
【００６５】
図１７において、１７１は給紙したシート材であり、給紙装置情報１７２が印刷されている事を示す。なお、給紙装置情報１７２の出力例は、本実施形態に示す出力形態に限定されず、出力位置等はユーザが指定した位置としたり、文字サイズも変更したりできるように構成してもよい。
【００６６】
次に、Ｓ１４１８で、ＣＰＵ３０５は給紙制御部３２７を制御して、グループ化給紙装置情報テーブル（図５）の制御情報に基づいて同一グループに属するまだ給紙していない他の給紙装置に給紙先を切り替え、Ｓ１４１５へ戻る。
【００６７】
一方、Ｓ１４１５で給紙していない同一グループに属する他の給紙装置がないとＣＰＵ３０５が判断した場合はＳ１４１４進む。そして、Ｓ１４１４で、ＣＰＵ３０５は印刷継続または中止処理を行う。なお、印刷継続または中止処理のフローは図１３のフローとなるためその説明については省略する。
【００６８】
一方、Ｓ１４０９で、成果物としての利用指示がされたとＣＰＵ３０５が判断した場合はＳ１４１０に進む。そして、Ｓ１４０９で、ＣＰＵ３０５は給紙制御部３２７を制御して、グループ化給紙装置情報テーブル（図６）の制御情報に基づいて同一グループに属する他の給紙装置全てから１枚給紙を行ったかを判断する。ここで、まだ給紙していない同一グループに属する他の給紙装置があるとＣＰＵ３０５が判断した場合は、Ｓ１４１１に進み、ＣＰＵ３０５は現在指定されている給紙装置から１枚給紙して印刷を行う。
【００６９】
そして、Ｓ１４１２で、ＣＰＵ３０５は給紙制御部３２７を制御して、グループ化給紙装置情報テーブル（図５）の制御情報に基づいて同一グループに属するまだ給紙していない他の給紙装置に給紙先を切り替えて、Ｓ１４１０に戻る。
一方、Ｓ１４１０でまだ給紙していない同一グループに属する他の給紙装置がないとＣＰＵ３０５が判断した場合は、Ｓ１４１３に進む。
【００７０】
そして、Ｓ１４１３で、ＣＰＵ３０５は、給紙制御部３２７を制御して、給紙装置情報テーブル（図１６）からＳ１４１１で実際に給紙した給紙装置情報（給紙装置Ｎｏ等）を取得して実際に給紙したシート別に給紙装置情報を図１８に示すように印刷する。この際、ＣＰＵ３０５は、ＲＡＭ３０６に保存されている印字するラスタライズ画像データとは別に、ＲＡＭ３０６に保存されている印字する。次に、Ｓ１４１４で、ＣＰＵ３０５は印刷継続または中止処理を行い、本処理を終了する。なお、印刷継続または中止処理のフローは図１３のフローと同一となるので、説明は省略する。
【００７１】
図１８は、本実施形態を示す印刷装置の出力結果の一例を示す図である。本例は、一枚目給紙装置Ｎｏ１から、２枚目給紙装置Ｎｏ２給紙されたことを示す情報をプリンタ３２３から出力した例に対応する。
図１８において、１８２は印刷データとは異なる給紙装置情報を印刷したシート材であり、シート材１８２にシート毎に利用した給紙装置情報が印刷されている事を示す。
【００７２】
以上のように、お試しプリントした各枚に給紙した給紙装置情報を印字する事で
どの給紙装置に入っていたシート材であるのかの確認が簡単にできるようになる。
また、お試しプリントで給紙した給紙装置情報を印刷データとは別シート材に印刷する事で、印刷結果が成果物として再利用する事が可能になる。
【００７３】
〔第４実施形態〕
以下、図５、図７、図１９を用いて、第４実施形態について説明する。
図１９は、本実施形態を示す印刷装置の制御方法を説明するフローチャートである。本例は、印刷処理に関わる詳細手順例である。本処理は、お試し印刷処理例である。なお、各ステップは、ＣＰＵ３０５がＲＯＭ３１０、ＨＤＤ３１１から制御プログラムをＲＡＭ３０６にロードして実行することで実現される。
【００７４】
まず、Ｓ１９０１で、ネットワークを介して情報処理装置から印刷ジョブを受信すると、ＣＰＵ３０５はジョブ制御部３２５を制御して受信したジョブを解析し部数（コピー数：Ｎ）、給紙指定、排紙処理情報（ステイブル、排紙先）等の制御情報を取得する。
そして、Ｓ１９０２で、印刷ジョブから取得した情報をＣＰＵ３０５はジョブ制御情報保存部３２６に保存する。次に、Ｓ１９０３では、ＣＰＵ３０５は受信した印刷ジョブに給紙装置指定がされている否かを判断する。ここで、給紙装置指定がされていないと判断した場合、Ｓ１９０４に進み、ＣＰＵ３０５は通常の印刷処理を行って、本処理を終了する。なお、通常の印刷処理についての説明は省略する。
【００７５】
一方、Ｓ１９０３で給紙装置指定があると判断したＣＰＵ３０５が場合は、Ｓ１９０５に進み、ＣＰＵ３０５は操作部Ｉ／Ｆ３０７を介し、操作部１０４にお試しプリントを実施するか選択する画面（図７）を表示する。
そして、Ｓ１９０６で、ＣＰＵ３０５はお試しプリント実施を指示するボタンＢ１をユーザが選択しているかどうかを判断する。ここで、お試しプリントの実施を指示するためのボタンＢ１が選択されていないとＣＰＵ３０５が判断した場合、Ｓ１９０７に進む。そして、Ｓ１９０７で、ＣＰＵ３０５はジョブ制御情報保存部３２６に保存した制御情報に基づいてフィニッシング処理（ステイブル等）の指定があるかを判別する。
【００７６】
ここで、フィニッシング処理の指定があるとＣＰＵ３０５が判断した場合、Ｓ１９０９に進み、ＣＰＵ３０５は排紙制御部３２８を制御して排紙先を排紙処理がされない排紙先（トレイ１２０１）に切り替えて、Ｓ１９１０に進む。
【００７７】
一方、Ｓ１９０８で、フィニッシング処理の指定がないとＣＰＵ３０５が判断した場合はＳ１９１０に進む。そして、Ｓ１９１０で、ＣＰＵ３０５は給紙制御部３２７を制御して、グループ化給紙装置情報テーブル（図５）の制御情報に基づいて同一グループに属する他の給紙装置全てから１枚給紙を行ったかを判断する。ここで、まだ給紙していない同一グループに属する他の給紙装置があると判断した場合は、Ｓ１９１１に進み、ＣＰＵ３０５は現在指定されている給紙装置から1枚給紙して印刷を行う。
【００７８】
次に、Ｓ１９１２で、ＣＰＵ３０５は給紙制御部３２７を制御して、グループ化給紙装置情報テーブル（図５）の制御情報に基づいて同一グループに属するまだ給紙していない他の給紙装置に給紙先を切り替える。そして、Ｓ１９１０に戻る。
一方、Ｓ１９１０で、ＣＰＵ３０５がまだ給紙していない同一グループに属する他の給紙装置がないと判断した場合は、Ｓ１９１３に進み、ＣＰＵ３０５は印刷継続または中止処理を行って、本処理を終了する。なお、印刷継続または中止処理のフローは図１３のフローと同様なので、処理の説明については省略する。
【００７９】
以上のように、本実施形態によれば、印刷ジョブのフィニッシング設定を利用して、お試しプリント結果を成果物として利用可能/不可と区別して自動的に排紙先を変更する事が可能となりユーザの印刷結果の仕分け手間を省く事が可能となる。
上記各実施形態によれば、グループが設定されている全ての給紙装置から一枚ずつ順々に給紙して印刷するお試し印刷行うことができる。これにより、ユーザがお試し印刷結果を確認してグループ化されている給紙装置全てに所望のシート材が格納されている事かどうかを確実に確認できる。さらに、上記各実施形態によれば、シート材情報（サイズ、色等）を検知するセンサなどの特別なハードウエアを必要としないため、簡単な構成で間違ったシート材への印刷を防止する制御を安価に実行できる。
【００８０】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００８１】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００８２】
１００  印刷装置
１０１  画像形成部
１０３  スキャナ部
２００  排紙装置
【図１】
2013052540.tif 000003
【図２】
2013052540.tif 000004
【図３】
2013052540.tif 000005
【図４】
2013052540.tif 000006
【図５】
2013052540.tif 000007
【図６】
2013052540.tif 000008
【図７】
2013052540.tif 000009
【図８】
2013052540.tif 000010
【図９】
2013052540.tif 000011
【図１０】
2013052540.tif 000012
【図１１】
2013052540.tif 000013
【図１２】
2013052540.tif 000014
【図１３】
2013052540.tif 000015
【図１４】
2013052540.tif 000016
【図１５】
2013052540.tif 000017
【図１６】
2013052540.tif 000018
【図１７】
2013052540.tif 000019
【図１８】
2013052540.tif 000020
【図１９】
2013052540.tif 000021